(57)【要約】【課題】  同時に進行する放送や通信を用いた複数の番組の動きを俯瞰する際に、俯瞰に要する時間が短く、利用者の負担を少なくする。【解決手段】  本発明は、利用者の入力装置において、利用者により指定された送出装置の識別子をチャネル情報入力装置に送信し、送出装置の識別子及び、該利用者が出力装置の出力を視聴しながら入力した送出装置の出力に関する文字列データを、チャネル情報入力装置に送信し、受信装置に提示されたチャネル情報テーブルを参照することにより利用者によって指定された受信対象とする送出装置の識別子をチャネル情報テーブル提示装置に送信する。【選択図】  図１
2006237883.tif 000002
【特許請求の範囲】
【請求項１】
テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な情報処理システムであって、
受信装置、チャネル情報入力装置、チャネル切替装置、チャネル情報テーブル管理装置、チャネル情報テーブル提示装置を有し、
前記受信装置は、
前記入力装置によって指定された送出装置の映像データと音声データを前記チャネル切替装置または、前記チャネル情報テービル提示装置を介して受信し、該映像データを前記出力装置に出力する手段を有し、
前記チャネル情報入力装置は、
前記入力装置から入力される文字列データと、予め指定されている送出装置の識別子を前記チャネル情報テーブル管理装置に出力する手段を有し、
前記チャネル切替装置は、
前記入力装置から入力された前記送出装置の識別子を前記受信装置と前記チャネル情報入力装置へ出力する手段を有し、
前記チャネル情報テーブル管理装置は、
前記チャネル情報入力装置から前記送出装置の識別子と前記文字列データが入力されると、該文字列データ及びそれまでに該識別子に対して入力された文字列データの中から所定の抽出条件を満たす文字列群を求める手段と、
前記文字列群の各文字列に対してスコアを求めて該識別子と関係付けて、文字列リスト記憶手段に記憶する手段と、
前記文字列リスト記憶手段に記憶されている文字列群を識別子毎にスコアの大きい順に並べたチャネル情報テーブル逐次作成してチャネル情報テーブル記憶手段に格納する手段と、
外部からの取得要求に対して、該チャネル情報テーブル前記チャネル情報テーブル記憶手段から読み出して、要求元へ出力する手段と、を有し、
前記チャネル情報テーブル提示装置は、
前記チャネル情報テーブル管理装置へ取得要求を出力して、該チャネル情報テーブル管理装置から取得した前記チャネル情報テーブルの情報を前記出力装置に表示する手段と、
前記入力装置から入力されたデータを前記送出装置の識別子に変換し、前記受信装置に出力する手段と、を有し、
前記入力装置は、
利用者が前記出力装置の出力を視聴しながら入力した送出装置の出力に関する文字列データを、前記チャネル情報入力装置に送信する手段と、
前記チャネル情報テーブル提示装置から前記出力装置に提示されたチャネル情報テーブルを参照することにより利用者によって指定された受信対象とする送出装置の識別子を前記チャネル情報テーブル提示装置に送信する手段と、
を有することを特徴とする情報処理システム。
【請求項２】
テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力するネットワークを介した処理が可能な情報処理システムであって、
受信装置、チャネル情報入力装置、チャネル情報管理装置、チャネル情報閲覧装置、チャネル情報収集装置、チャネル情報テーブル管理装置、チャネル情報テーブル提示装置を有し、
前記受信装置は、
前記入力装置によって指定された送出装置の映像データと音声データを、前記チャネル情報閲覧装置、チャネル情報テーブル提示装置を介して受信し、受信したデータを前記出力装置に出力する手段を有し、
前記チャネル情報入力装置は、
前記入力装置から入力された文字列データと指定されている送出装置の識別子を前記チャネル情報管理装置に出力する手段を有し、
前記チャネル情報管理装置は、
登録要求を含む入力に対して、入力された文字列データに対して登録番号と入力された送出装置識別子を関連付けて文字列リスト記憶手段に記憶し、
取得要求を含む入力に対して、該入力された送出装置識別子に対する登録番号付きの文字列データ群を要求元へ出力する手段を有し、
前記チャネル情報閲覧装置は、
前記入力装置から指定された送出装置の識別子を前記チャネル情報管理装置に出力して登録番号付きの文字列データ群を取得する手段と、
前記識別子に対する前記取得文字列データ群を利用者の前記出力装置に表示する手段と、を有し、
前記チャネル情報収集装置は、
前記チャネル情報管理装置の前記文字列データ記憶手段に記憶されている文字列データ群を逐次取得し、前回の取得時からの差分の文字列データ群を前記送出装置毎に登録番号の小さい順にチャネル情報テーブル管理装置へ出力する手段を有し、
前記チャネル情報テーブル管理装置は、
送出装置の識別子と文字列データが入力された際、前記文字列データ及びそれまでに当該識別子に対して入力された文字列データの中から規定の抽出条件を満たす文字列群を求める手段と、
前記文字列群の各文字列に対してスコアを求めて当該識別子と関係付けて文字列リスト記憶手段に記憶し、
前記文字列リスト記憶手段に記憶されている文字列群を識別子毎にスコアの大きい順に並べたチャネル情報テーブルを逐次作成してチャネル情報テーブル記憶手段に保持する手段と、
外部からの取得要求に対して、前記チャネル情報テーブルを該チャネル情報テーブル記憶手段から読み出して要求元へ出力する手段と、を有し、
前記チャネル情報テーブル提示装置は、
前記チャネル情報テーブル管理装置へ取得要求を出力して前記チャネル情報テーブルを取得し、取得した前記チャネル情報テーブルを前記出力装置に表示する手段と、
前記入力装置からの入力データを送出装置の識別子へ変換し、該識別子を前記受信装置とチャネル情報閲覧装置とチャネル情報入力装置へ出力する手段と、を有し、
前記入力装置は、
利用者が前記表示装置の出力を視聴しながら入力した送出装置の出力に関する文字列データを、前記チャネル情報入力装置に送信する手段と、
前記チャネル情報テーブル提示装置から前記表示装置に提示されたチャネル情報テーブルを参照することにより利用者によって指定された受信対象とする送出装置の識別子を前記チャネル情報テーブル提示装置に送信する手段と、を有することを特徴とする情報処理システム。
【請求項３】
テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な情報処理システムであって、
受信装置、チャネル情報入力装置、チャネル切替装置、チャネル情報テーブル管理装置、チャネル情報テーブル提示装置を有し、
前記受信装置は、
前記入力装置により指定された送出装置の映像データと音声データを、前記チャネル情報テーブル提示装置または、チャネル情報入力装置を介して受信し、前記受信データを前記出力装置に出力する手段を有し、
前記チャネル情報入力装置は、
前記入力装置より入力される文字列データと指定されている送出装置の識別子をチャネル情報テーブル管理装置に出力する手段を有し、
前記チャネル切替装置は、
前記入力装置より入力される送出装置の識別子を前記受信装置と前記チャネル情報入力装置へ出力する手段を有し、
前記チャネル情報テーブル管理装置は、
前記チャネル情報入力装置から送出装置の識別子と文字列データが入力された際、前記文字列データ及びそれまでに当該識別子に対して入力された文字列データの中から予め定義された品詞パタンにマッチする文字列群を求める手段と、
前記各文字列データの各文字列に対して前記抽出された文字列が出現した文字列データに後続する文字列データにおいて当該文字列を構成する語が出現した文字列データの数を支持数として求める手段と、
前記支持数を当該識別子に対して入力された文字列データの中で当該語が出現した文字列データの数を分母とする式により重み付けした値を分子の構成要素に持ち、前記後続する文字列データの数を分母の構成要素に持つ式によりスコア値を算出する手段と、
前記文字列とスコアと当該識別子と関係付けて文字列リスト記憶手段に記憶する手段と、
前記文字列リスト記憶手段に記憶されている文字列群を識別子毎にスコアの大きい順に並べたチャネル情報テーブルを逐次作成してチャネル情報テーブル記憶手段に保持する手段と、
外部からの取得要求に対して、前記チャネル情報テーブルを要求元へ出力する手段と、を有し、
前記チャネル情報テーブル提示装置は、
前記チャネル情報テーブル管理装置へ取得要求を出力して前記チャネル情報テーブルを取得し、取得したテーブルを前記出力装置に表示する手段と、
前記入力装置から入力されるデータを送出装置の識別子へ変換し、前記受信装置へ出力する手段と、を有し、
前記入力装置は、
利用者が前記出力装置の出力を視聴しながら入力した送出装置の出力に関する文字列データを、前記チャネル情報入力装置に送信する手段と、
前記チャネル情報テーブル提示装置から前記出力装置に提示されたチャネル情報テーブルを参照することにより利用者によって指定された受信対象とする送出装置の識別子を前記チャネル情報テーブル提示装置に送信する手段と、を有することを特徴とする情報処理システム。
【請求項４】
テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な情報処理システムであって、
受信装置、チャネル情報入力装置、チャネル情報管理装置、チャネル情報閲覧装置、チャネル情報収集装置、チャネル情報テーブル管理装置、チャネル情報テーブル提示装置を有し、
前記受信装置は、
前記入力装置によって指定された送出装置の映像データと音声データを、前記チャネル情報閲覧装置または、前記チャネル情報テーブル提示装置を介して受信し、前記受信データを前記出力装置に出力する手段を有し、
前記チャネル情報入力装置は、
前記入力装置より入力される文字列データと指定されている送出装置の識別子をチャネル情報管理装置に出力する手段を有し、
前記チャネル情報管理装置は、
登録要求を含む入力に対して、前記入力中の文字列データに対して登録番号と前記入力中の送出装置識別子を関連づけて文字列記憶手段に記憶する手段と、
取得要求を含む入力に対して、入力された送出装置識別子に対する登録番号付きの文字列データ群を要求元へ出力する手段と、を有し、
前記チャネル情報閲覧装置は、
前記チャネルテーブル提示装置から指定された送出装置の識別子を前記チャネル情報管理装置に出力して番号付き文字列データ群を取得する手段と、
前記送出装置の識別子に対する前記取得文字列データ群を表示手段に表示する手段と、を有し、
前記チャネル情報収集装置は、
前記チャネル情報管理装置から文字列データ群を逐次取得する手段と、
前回の取得時からの差分の文字列データ群を前記送出装置毎に登録番号の小さい順にチャネル情報テーブル管理装置へ出力する手段と、を有し、
前記チャネル情報テーブル管理装置は、
前記チャネル情報収集装置から識別子と文字列データが入力された際、前記文字列データおよびそれまでに当該識別子に対して入力された文字列データの中から予め定義された品詞パタンにマッチする文字列群を求める手段と、
前記各文字列データの各文字列に対して前記抽出された文字列が出現した文字列データに後続する文字列データにおいて当該文字列を構成する語が出現した文字列データの数を支持数として求める手段と、
前記支持数を当該識別子に対して入力された文字列データの中で当該語が出現した文字列データの数を分母とする式により重み付けした値を分子の構成要素に持ち、前記後続する文字列データの数を分母の構成要素に持つ式によりスコア値を算出する手段と、
前記文字列とスコアと当該識別子と関係付けて文字列リスト記憶手段に記憶し、該文字列リスト記憶手段に記憶されている文字列群を識別子毎にスコアの大きい順に並べたチャネル情報テーブルを逐次作成してチャネル情報テーブル記憶手段に保持する手段と、
外部からの取得要求に対して、前記チャネル情報テーブル記憶手段から前記チャネル情報テーブルを取得して要求元へ出力する手段と、を有し、
チャネル情報テーブル提示装置は、
前記チャネル情報テーブル管理装置へ取得要求を出力して前記チャネル情報テーブルを取得し、取得した前記チャネル情報テーブルを前記出力装置に表示する手段と、
前記入力装置より入力されたデータを送出装置の識別子へ変換し、前記識別子を前記受信装置とチャネル情報閲覧装置とチャネル情報入力装置へ出力する手段と、を有し、
前記入力装置は、
利用者が前記出力装置の表示を視聴しながら入力した送出装置の出力に関する文字列データを、前記チャネル情報入力装置に送信する手段と、
前記チャネル情報テーブル提示装置から前記出力装置に提示されたチャネル情報テーブルを参照することにより利用者によって指定された受信対象とする送出装置の識別子を前記チャネル情報テーブル提示装置に送信する手段と、を有することを特徴とする情報処理システム。
【請求項５】
テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置からなる情報処理システムにおける、該チャネル情報テーブル管理装置として利用されるコンピュータが、
前記請求項１乃至４記載の前記チャネル情報テーブル管理装置の各手段を実行することを特徴とする番組選択支援プログラム。
【請求項６】
テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置からなる情報処理システムにおける、該チャネル情報テーブル提示装置として利用されるコンピュータが、
前記請求項１乃至４記載の前記チャネル情報テーブル提示装置の各手段を実行することを特徴とする番組選択支援プログラム。
【請求項７】
テレビ放送を含む映像データとそれに付随する音声データを送出する送出装置からのデータを受信し、キーボードやマウス、リモコンを含む入力装置により入力されたデータを取得しディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置からなる情報処理システムにおける、該入力装置として利用されるコンピュータが、
前記請求項１乃至４記載の前記入力装置の各手段を実行することを特徴とする番組選択支援プログラム。
【請求項８】
テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置、チャネル情報閲覧装置からなる情報処理システムにおける、該チャネル情報閲覧装置として利用されるコンピュータが、
前記請求項２または４記載の前記チャネル情報閲覧装置の各手段を実行することを特徴とする番組選択支援プログラム。
【請求項９】
テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置からなる情報処理システムにおける、該チャネル情報テーブル管理装置として利用されるコンピュータが、
前記請求項１乃至４記載の前記チャネル情報テーブル管理装置の各手段を実行することを特徴とする番組選択支援プログラム。
【請求項１０】
テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置、チャネル情報閲覧装置、チャネル情報管理装置からなる情報処理システムにおける、該チャネル情報管理装置として利用されるコンピュータが、
前記請求項２または、４記載の前記チャネル情報管理装置の各手段を実行することを特徴とする番組選択支援プログラム。
【請求項１１】
テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置、チャネル情報閲覧装置、チャネル情報収集装置からなる情報処理システムにおける、該チャネル情報収集装置として利用されるコンピュータが、
前記請求項２または、４記載の前記チャネル情報収集装置の各手段を実行することを特徴とする番組選択支援プログラム。
【発明の詳細な説明】
【技術分野】
【０００１】
本発明は、情報処理システム及び番組選択支援プログラムに係り、特に、同時に進行する放送や通信を用いた複数の番組の動きを俯瞰するための情報処理システム及び番組選択支援プログラムに関する。
【背景技術】
【０００２】
従来の同時に進行する放送や通信を用いた複数の番組の動きを俯瞰する技術として、複数の映像データを複数の表示エリアに分けて同時に表示する技術がある（従来技術Ａ）（例えば、特許文献１〜３参照）。
【０００３】
また、Ｎ台の送出装置に対してＮ台の受信装置を用意し、各映像データに対して映像の表示、音声を出力する装置を設けて番組の動きを俯瞰するシステムもあり得る（従来技術Ｂ）。
【特許文献１】特開平５−３７８７３号公報
【特許文献２】特開平６−１８１５５６号公報
【特許文献３】特開平６−５４２６７号公報
【発明の開示】
【発明が解決しようとする課題】
【０００４】
しかしながら、上記従来技術Ａには以下のような問題がある。
【０００５】
・複数の映像データを複数の表示エリアに分けて表示した場合、出力される音声が１つの表示エリアの音声しか出力されないので、複数エリアを同時に俯瞰する場合、音声が出力されている表示エリア以外の表示エリアは映像のみで見比べ、番組の内容を俯瞰したり、判断したりしなければならない。
【０００６】
・１つの画面を複数の映像で分割して利用するので、１つの映像に割り当てられる面積が小さい。そのため、ニュースのタイトルやバラエティの強調セリフといったような映像に入れられている文字情報から番組の内容を推測したり、判断しようとする場合、字が小さくて読みにくい。
【０００７】
また、上記従来技術Ｂには以下のような問題がある。
【０００８】
・複数の音声の中の１つの音声を集中して聞かなければならず、利用者の負担が大きい。
【０００９】
・アナウンサが原稿を読む速度は１秒間に５文字程度、映画の字幕は１秒間に４文字強を想定して設計されており、同じ文字数であれば聴覚による番組の把握は視覚に比べ時間を要する。
【００１０】
本発明は、上記の点に鑑みなされたもので、同時に進行する複数の番組の動きを俯瞰する際に、俯瞰に要する時間が短く、利用者の負担が少ない情報処理システム及び番組選択支援プログラムを提供することを目的とする。
【課題を解決するための手段】
【００１１】
図１は、本発明の原理構成図である。
【００１２】
本発明（請求項１）は、テレビ放送を含む映像データとそれに付随する音声データを送出する送出装置２００からのデータを受信し、キーボードやマウス、リモコンを含む入力装置３００により入力されたデータを取得し、ディスプレイやスピーカを含む出力装置４００に出力する、ネットワークを介した処理が可能な情報処理システムであって、
受信装置１２０、チャネル情報入力装置１３０、チャネル切替装置１１０、チャネル情報テーブル管理装置１４０、チャネル情報テーブル提示装置１５０と、を有し、
受信装置１２０は、
入力装置３００によって指定されることにより、送出装置の映像データと音声データをチャネル切替装置１１０、または、チャネル情報テーブルテー時装置１５０を介して受信し、該映像データを出力装置４００に出力する手段を有し、
チャネル情報入力装置１３０は、
入力装置３００から入力される文字列データと、予め指定されている送出装置の識別子をチャネル情報テーブル管理装置１４０に出力する手段を有し、
チャネル切替装置１１０は、
入力装置３００から入力された送出装置２００の識別子を受信装置とチャネル情報入力装置１３０へ出力する手段を有し、
チャネル情報テーブル管理装置１４０は、
チャネル情報入力装置１３０から送出装置の識別子と文字列データが入力されると、該文字列データ及びそれまでに該識別子に対して入力された文字列データの中から所定の抽出条件を満たす文字列群を求める手段と、
文字列群の各文字列に対してスコアを求めて該識別子と関係付けて、文字列リスト記憶手段に記憶する手段と、
文字列リスト記憶手段に記憶されている文字列群を識別子毎にスコアの大きい順に並べたチャネル情報テーブル逐次作成してチャネル情報テーブル記憶手段に格納する手段と、
外部からの取得要求に対して、該チャネル情報テーブルチャネル情報テーブル記憶手段から読み出して、要求元へ出力する手段と、を有し、
チャネル情報テーブル提示装置１１５０は、
チャネル情報テーブル管理装置１４０へ取得要求を出力して、該チャネル情報テーブル管理装置１４０から取得したチャネル情報テーブルの情報を表示手段に表示する手段と、
入力装置から入力されたデータを送出装置の識別子に変換し、受信装置１２０に出力する手段と、を有し、
入力装置２００は、
利用者が出力装置４００の出力を視聴しながら入力した送出装置の出力に関する文字列データを、チャネル情報入力装置１３０に送信する手段と、
チャネル情報テーブル提示装置１５０から出力装置４００に提示されたチャネル情報テーブルを参照することにより利用者によって指定された受信対象とする送出装置の識別子をチャネル情報テーブル提示装置１５０に送信する手段と、を有する。
【００１３】
本発明（請求項２）は、テレビ放送を含む映像データとそれに付随する音声データを送出する送出装置からのデータを受信し、キーボードやマウス、リモコンを含む入力装置により入力されたデータを取得し、ディスプレイやスピーカを含む出力装置４００に出力する、ネットワークを介した処理が可能な情報処理システムであって、
受信装置、チャネル情報入力装置、チャネル情報管理装置、チャネル情報閲覧装置、チャネル情報収集装置、チャネル情報テーブル管理装置、チャネル情報テーブル提示装置と、を有し、
受信装置は、
入力装置によって指定された送出装置の映像データと音声データを前記チャネル切替装置、または、チャネル情報閲覧装置、または、チャネル情報提示装置から受信し、受信したデータを出力装置に出力する手段を有し、
チャネル情報入力装置は、
入力装置から入力された文字列データと指定されている送出装置の識別子をチャネル情報管理装置に出力する手段を有し、
チャネル情報管理装置は、
登録要求を含む入力に対して、入力された文字列データに対して登録番号と入力された送出装置識別子を関連付けて文字列リスト記憶手段に記憶し、
取得要求を含む入力に対して、該入力された送出装置識別子に対する登録番号付きの文字列データ群を要求元へ出力する手段を有し、
チャネル情報閲覧装置は、
入力装置から指定された送出装置の識別子をチャネル情報管理装置に出力して登録番号付きの文字列データ群を取得する手段と、
識別子に対する取得文字列データ群を利用者の出力装置に表示する手段と、を有し、
チャネル情報収集装置は、
チャネル情報管理装置の文字列データ記憶手段に記憶されている文字列データ群を逐次取得し、前回の取得時からの差分の文字列データ群を送出装置毎に登録番号の小さい順にチャネル情報テーブル管理装置へ出力する手段を有し、
チャネル情報テーブル管理装置は、
送出装置の識別子と文字列データが入力された際、文字列データ及びそれまでに当該識別子に対して入力された文字列データの中から規定の抽出条件を満たす文字列群を求める手段と、
文字列群の各文字列に対してスコアを求めて当該識別子と関係付けて文字列リスト記憶手段に記憶し、
文字列リスト記憶手段に記憶されている文字列群を識別子毎にスコアの大きい順に並べたチャネル情報テーブルを逐次作成してチャネル情報テーブル記憶手段に保持する手段と、
外部からの取得要求に対して、チャネル情報テーブルを該チャネル情報テーブル記憶手段から読み出して要求元へ出力する手段と、を有し、
チャネル情報テーブル提示装置は、
チャネル情報テーブル管理装置へ取得要求を出力してチャネル情報テーブルを取得し、取得したチャネル情報テーブルを出力装置に表示する手段と、
入力装置からの入力データを送出装置の識別子へ変換し、該識別子を受信装置とチャネル情報閲覧装置とチャネル情報入力装置へ出力する手段と、を有し、
入力装置は、
利用者が出力装置の表示を視聴しながら入力した送出装置の出力に関する文字列データを、チャネル情報入力装置に送信する手段と、
チャネル情報テーブル提示装置から出力装置に表示されたチャネル情報テーブルを参照することにより利用者によって指定された受信対象とする送出装置の識別子をチャネル情報テーブル提示装置に送信する手段と、を有する。
【００１４】
本発明（請求項３）は、テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な情報処理システムであって、
受信装置、チャネル情報入力装置、チャネル切替装置、チャネル情報テーブル管理装置、チャネル情報テーブル提示装置を、有し、
受信装置は、
入力装置によって指定された送出装置の映像データと音声データを、チャネル切替装置または、チャネル情報テーブル提示装置を介して受信し、受信データを出力装置に出力する手段を有し、
チャネル情報入力装置は、
入力装置より入力される文字列データと指定されている送出装置の識別子をチャネル情報テーブル管理装置に出力する手段を有し、
チャネル切替装置は、
入力装置より入力される送出装置の識別子を受信装置とチャネル情報入力装置へ出力する手段を有し、
チャネル情報テーブル管理装置は、
チャネル情報入力装置から送出装置の識別子と文字列データが入力された際、文字列データ及びそれまでに当該識別子に対して入力された文字列データの中から予め定義された品詞パタンにマッチする文字列群を求める手段と、
各文字列データの各文字列に対して抽出された文字列が出現した文字列データに後続する文字列テ゛ータにおいて当該文字列を構成する語が出現した文字列データの数を支持数として求める手段と、
支持数を当該識別子に対して入力された文字列データの中で当該語が出現した文字列データの数を分母とする式により重み付けした値を分子の構成要素に持ち、後続する文字列データの数を分母の構成要素に持つ式によりスコア値を算出する手段と、
文字列とスコアと当該識別子と関係付けて文字列リスト記憶手段に記憶する手段と、
文字列リスト記憶手段に記憶されている文字列群を識別子毎にスコアの大きい順に並べたチャネル情報テーブルを逐次作成してチャネル情報テーブル記憶手段に保持する手段と、
外部からの取得要求に対して、チャネル情報テーブルを要求元へ出力する手段と、を有し、
チャネル情報テーブル提示装置は、
チャネル情報テーブル管理装置へ取得要求を出力してチャネル情報テーブルを取得し、取得したテーブルを出力装置に表示する手段と、
入力装置から入力されるデータを送出装置の識別子へ変換し、受信装置へ出力する手段と、を有し、
入力装置は、
該利用者が出力装置の表示を視聴しながら入力した送出装置の出力に関する文字列データを、チャネル情報入力装置に送信する手段と、
チャネル情報テーブル提示装置から出力装置に提示されたチャネル情報テーブルを参照することにより利用者によって指定された受信対象とする送出装置の識別子をチャネル情報テーブル提示装置に送信する手段と、を有する。
【００１５】
本発明（請求項４）は、テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な情報処理システムであって、
受信装置、チャネル情報入力装置、チャネル情報管理装置、チャネル情報閲覧装置、チャネル情報収集装置、チャネル情報テーブル管理装置、チャネル情報テーブル提示装置と、を有し、
受信装置は、
入力装置によって指定された送出装置の映像データと音声データを、チャネル情報閲覧装置、または、チャネル情報テーブル提示装置から受信し、受信データを出力装置に出力する手段を有し、
チャネル情報入力装置は、
入力装置より入力される文字列データと指定されている送出装置の識別子をチャネル情報管理装置に出力する手段を有し、
チャネル情報管理装置は、
登録要求を含む入力に対して、入力中の文字列データに対して登録番号と入力中の送出装置識別子を関連づけて文字列記憶手段に記憶する手段と、
取得要求を含む入力に対して、入力された送出装置識別子に対する登録番号付きの文字列データ群を要求元へ出力する手段と、を有し、
チャネル情報閲覧装置は、
チャネルテーブル提示装置から指定された送出装置の識別子をチャネル情報管理装置に出力して番号付き文字列データ群を取得する手段と、
送出装置の識別子に対する取得文字列データ群を出力装置に表示する手段と、を有し、
チャネル情報収集装置は、
チャネル情報管理装置から文字列データ群を逐次取得する手段と、
前回の取得時からの差分の文字列データ群を送出装置毎に登録番号の小さい順にチャネル情報テーブル管理装置へ出力する手段と、を有し、
チャネル情報テーブル管理装置は、
チャネル情報収集装置から識別子と文字列データが入力された際、文字列データおよびそれまでに当該識別子に対して入力された文字列データの中から予め定義された品詞パタンにマッチする文字列群を求める手段と、
各文字列データの各文字列に対して抽出された文字列が出現した文字列データに後続する文字列データにおいて当該文字列を構成する語が出現した文字列データの数を支持数として求める手段と、
支持数を当該識別子に対して入力された文字列データの中で当該語が出現した文字列データの数を分母とする式により重み付けした値を分子の構成要素に持ち、後続する文字列データの数を分母の構成要素に持つ式によりスコア値を算出する手段と、
文字列とスコアと当該識別子と関係付けて文字列リスト記憶手段に記憶し、該文字列リスト記憶手段に記憶されている文字列群を識別子毎にスコアの大きい順に並べたチャネル情報テーブルを逐次作成してチャネル情報テーブル記憶手段に保持する手段と、
外部からの取得要求に対して、チャネル情報テーブル記憶手段からチャネル情報テーブルを取得して要求元へ出力する手段と、を有し、
チャネル情報テーブル提示装置は、
チャネル情報テーブル管理装置へ取得要求を出力してチャネル情報テーブルを取得し、取得したチャネル情報テーブルを出力装置に表示する手段と、
入力装置より入力されたデータを送出装置の識別子へ変換し、識別子を受信装置とチャネル情報閲覧装置とチャネル情報入力装置へ出力する手段と、を有し、
入力装置は、
利用者が出力装置の出力を視聴しながら入力した送出装置の出力に関する文字列データを、チャネル情報入力装置に送信する手段と、
チャネル情報テーブル提示装置から出力装置に提示されたチャネル情報テーブルを参照することにより利用者によって指定された受信対象とする送出装置の識別子をチャネル情報テーブル提示装置に送信する手段と、を有する。
【００１６】
本発明（請求項５）は、テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置からなる情報処理システムにおける、該チャネル情報テーブル管理装置として利用されるコンピュータが、
請求項１乃至４記載のチャネル情報テーブル管理装置の各手段を実行する番組選択支援プログラムである。
【００１７】
本発明（請求項６）は、テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置からなる情報処理システムにおける、該チャネル情報テーブル提示装置として利用されるコンピュータが、
請求項１乃至４記載のチャネル情報テーブル提示装置の各手段を実行する番組選択支援プログラムである。
【００１８】
本発明（請求項７）は、テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置からなる情報処理システムにおける、該入力装置として利用されるコンピュータが、
請求項１乃至４記載の入力装置の各手段を実行する番組選択支援プログラムである。
【００１９】
本発明（請求項８）は、テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置、チャネル情報閲覧装置からなる情報処理システムにおける、該チャネル情報閲覧装置として利用されるコンピュータが、
請求項２または４記載のチャネル情報閲覧装置の各手段を実行する番組選択支援プログラムである。
【００２０】
本発明（請求項９）は、テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置からなる情報処理システムにおける、該チャネル情報テーブル管理装置として利用されるコンピュータが、
請求項１乃至４記載のチャネル情報テーブル管理装置の各手段を実行する番組選択支援プログラムである。
【００２１】
本発明（請求項１０）は、テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置、チャネル情報閲覧装置、チャネル情報管理装置からなる情報処理システムにおける、該チャネル情報管理装置として利用されるコンピュータが、
請求項２または、４記載のチャネル情報管理装置の各手段を実行する番組選択支援プログラムである。
【００２２】
本発明（請求項１１）は、テレビ放送を含む映像データとそれに付随する音声データを送出する送出装置からのデータを受信し、キーボードやマウス、リモコンを含む入力装置により入力されたデータを取得し、ディスプレイやスピーカを含む出力装置に出力する、ネットワークを介した処理が可能な、受信装置、チャネル情報入力装置、チャネル切替装置、チャネル情報テーブル管理装置、チャネル情報テーブル提示装置、チャネル情報閲覧装置、チャネル情報収集装置からなる情報処理システムにおける、該チャネル情報収集装置として利用されるコンピュータが、
請求項２または、４記載のチャネル情報収集装置の各手段を実行する番組選択支援プログラムである。
【発明の効果】
【００２３】
上記のように本発明によれば、利用者は、比較的短い文字列で番組の動きを俯瞰可能となるため、同時に進行する複数の番組の動きの俯瞰に要する時間が短く、かつ、利用者の負担が少ない俯瞰が可能となる。このため、素早く、楽に視聴したい番組を見つけてその番組を見ることができる。
【００２４】
さらに、本発明によれば、番組の視聴者が番組の感想を入力文字列データとして入力した場合、同時に進行する複数の番組に対する視聴者の声を番組進行に合わせて把握できるようになる。
【００２５】
さらに、チャネル情報テーブル掲示装置で興味ある送出装置を指定することで、会話を行う場を選択できるため、同じ番組に興味を持つ視聴者間で同じ番組を視聴しながら会話できる。その結果、より楽しい番組視聴が可能となる。
【発明を実施するための最良の形態】
【００２６】
以下、図面と共に本発明の実施の形態を説明する。
【００２７】
［第１の実施の形態］
図２は、本発明の第１の実施の形態における情報処理システムの構成を示す。
【００２８】
同図に示す情報処理システムは、チャネル切替装置１１０、受信装置１２０、チャネル情報入力装置１３０、チャネル情報テーブル管理装置１４０、チャネル情報テーブル提示装置１５０から構成される。
【００２９】
情報処理システム１００の各受信装置１２０には、送出装置２００と表示装置４００が接続され、また、チャネル切替装置１１０、チャネル情報入力装置１３０には入力装置３００が接続される。
【００３０】
送出装置２００は、テレビ放送等の映像データとそれに付随する音声データを送出する装置であり、テレビ放送局や映像配信サーバ等である。
【００３１】
入力装置３００は、キーボードやマウス、リモコンなどの入力装置である。
【００３２】
チャネル切替装置１１０は、入力装置３００から入力される送出装置の識別子を受信装置１２０とチャネル情報入力装置１３０へ出力する。図３に本発明の第１の実施の形態におけるチャネル切替装置の動作のフローチャートを示す。図３において、識別子は例えばテレビ局名である。
【００３３】
図４は、本発明の第１の実施の形態における受信装置の構成を示す。
【００３４】
受信装置１２０は、アンテナ１２４、受信部１２１、音声処理部１２２、映像処理部１２３から構成され、音声処理部１２２にはスピーカ１２５が接続され、映像処理部１２３には表示装置４００が接続され、指定された送出装置２００の出力データを再生する。受信装置１２０は、一般的なテレビ受信器やテレビチューナ付きパーソナルコンピュータにより実現可能である。
【００３５】
図５は、本発明の第１の実施の形態における受信装置の動作のフローチャートである。同図（ａ）受信部１２１の動作を示し、同図（ｂ）は音声処理部１２２の動作を示し、同図（ｃ）は、映像処理部２３の動作を示す。
【００３６】
同図（ａ）において、受信部１２１は、送出装置２００の識別子が入力されたかを判定し（ステップ２０２）、入力された場合には、送出装置の識別子を出力対象に設定し（ステップ２０４）、出力対象として設定されている送出装置の映像データと音声データを映像処理部１２３と音声処理部１２２にそれぞれ出力する（ステップ２０５）。入力されない場合には、出力対象に設定されている送出装置がないかを判定し（ステップ２０３）、ある場合には、出力対象として設定されている送出装置の映像データと音声データを映像処理部１２３と音声処理部１２２にそれぞれ出力する（ステップ２０５）。
【００３７】
同図（ｂ）において、音声処理部１２２は、入力された音声データを再生するための種々の処理を行った結果をスピーカ１２５に出力する（ステップ２１２）。
【００３８】
同図（ｃ）において、映像処理部１２３は、入力された映像データを再生するための種々の処理を行った結果を表示装置４００に出力する（ステップ２１３）。
【００３９】
チャネル情報入力装置１３０は、チャネル情報テーブル管理装置１４０へ受信している番組に関連する入力文字列データを登録するためのものであり、図６に示すように、登録処理部１３１、入力装置３００から入力されたデータを記憶する入力文字記憶部１３２、切替装置１１０から入力された送出装置識別子を記憶する指定識別子記憶部１３３から構成され、閲覧制御部１３１には表示装置４００が接続されている。
【００４０】
図７は、本発明の第１の実施の形態におけるチャネル情報入力装置の動作のフローチャートである。
【００４１】
ステップ３０１）  終了指示が入力された場合には処理を終了する。
【００４２】
ステップ３０２）  一定時間、チャネル切替装置１１０からの入力を待機する。
【００４３】
ステップ３０３）  チャネル切替装置１１０からの入力があった場合には、ステップ３０４に移行し、入力がない場合にはステップ３０５に移行する。
【００４４】
ステップ３０４）  指定識別子記憶部１３３をクリアし、送出装置識別子を指定識別子記憶部１３３に格納し、ステップ３０１の処理に移行する。
【００４５】
ステップ３０５）  一定時間、入力装置３００の入力を待機する。
【００４６】
ステップ３０６）  入力装置３００からの入力がない場合には、ステップ３０１に移行し、あった場合にはステップ３０７に移行する。
【００４７】
ステップ３０７）  入力装置３００の出力を１文字読み込む。
【００４８】
ステップ３０８）  読み込まれた文字が入力解釈指示記号かを判定し、入力解釈指示記号である場合には、ステップ３０９に移行し、そうでない場合はステップ３１１に移行する。
【００４９】
ステップ３０９）  指定識別子記憶部１３３から識別子を読み込み、入力文字記憶部１３２中の文字列と対にしてチャネルテーブル管理装置１４０へ出力する。
【００５０】
ステップ３１０）  入力文字記憶部１３２をクリアし、ステップ３０１に移行する。
【００５１】
ステップ３１１）  ステップ３０８において、入力解釈指示記号でない場合には、入力された文字を表示装置４００に出力する。
【００５２】
ステップ３１２）  読み込み文字を入力文字記憶部１３２の文字列の終端にアペンドし、ステップ３０１に移行する。
【００５３】
図８は、本発明の第１の実施の形態におけるチャネル情報管理装置の構成を示す。
【００５４】
チャネル情報管理装置１４０は、各番組の内容を推測しやすい番組の一覧テーブルを作成するものであり、要求処理部１４１、登録要求リスト記憶部１４２、カウンタ値記憶部１４３、提示文字列作成部１４４、文字列データ記憶部１４５、規定文字列抽出部１４６、文字列リスト記憶部１４７、チャネル情報テーブル作成部１４８、チャネル情報記憶部１４９から構成される。
【００５５】
登録要求処理部１４１は、登録要求や取得要求を処理する。要求処理部１４１は、例えば、登録要求「(put  AAA放送  山田太郎と山田花子がでてきました)」や取得要求「(get)」を入力とする。
【００５６】
図９は、本発明の第１の実施の形態におけるチャネル情報管理装置の登録要求処理部の動作のフローチャートである。
【００５７】
ステップ４０１）  終了指示が入力された場合には処理を終了する。
【００５８】
ステップ４０２）  入力があった場合にはステップ４０３に移行し、ない場合にはステップ４０１に移行する。
【００５９】
ステップ４０３）  要求処理部１４１は、入力された要求が要録要求かを判定し、登録要求でない場合は、ステップ４０４に移行し、登録要求である場合には、ステップ４０５に移行する。
【００６０】
ステップ４０４）  入力された登録要求でない場合には、チャネル情報テーブル記憶部１４９の情報を、当該要求元に出力し、ステップ４０１に移行する。
【００６１】
ステップ４０５）  入力された要求が登録要求である場合には、送出装置の識別子と文字列データを抽出し、登録要求リスト記憶部１４２の登録要求の末尾に追加し、ステップ４０１に移行する。
【００６２】
チャネル情報テーブル記憶部１４９は、各送出装置とその送出装置に関連する文字列群から構成されるチャネル情報テーブルを記憶する。図１０にチャネル情報テーブルの例を示す。同図に示すように、チャネル情報テーブルは、送出装置識別子と文字列群から構成されるテーブルである。
【００６３】
登録要求リスト記憶部１４２は、処理待ちの登録要求を一時的に記憶するためのものである。
【００６４】
カウンタ値記憶部１４３は、各送出装置に対して登録した文字列データの数を記憶する。カウンタ値はスコアの計算に利用される。
【００６５】
文字列データ記憶部１４５は、登録を要求された文字列データを送出装置識別子とカウンタの値に関係づけて記憶する。例えば、カウンタの値を２３とした場合、上記の例の登録要求は
「(AAA放送  23  山田太郎と山田花子がでてきました)」
として記憶される。
【００６６】
規定文字列抽出部１４６は、文字列データを入力されると予め定められている条件を満たす部分文字列群を入力された文字列データから抽出し、入力元へ出力する。
【００６７】
例えば、予め定められている条件が「漢字の連続であり長さが全角２文字以上」
という条件が与えられていた場合、規定文字列抽出部7-6は「山田太郎と山田花子がでてきました」に対し、文字列群(山田太郎, 山田花子)を出力する。
本処理は例えば文字列がShift-JISの場合、例えばＣ言語で関数
#define IsKanji(c)  ( (unsigned
char)((int)((unsigned char)(c) ＾ 0x20) - 0x0A1) ＜ 0x3C )
を定義し、上記の関数を用いて文字列を１バイトづつ２バイト漢字データの１文字目かどうかを判定し、漢字データの１文字目である場合は当該１バイトと次の１バイトを漢字として切り出し、切り出された全角文字が元の文字列上で連続した位置関係にあるものを
つなげていくことにより、実現できる。
【００６８】
提示文字列作成部１４４は、登録要求に対して、当該登録要求中の送出装置識別子に対する番組の内容を推測しやすい文字列リストを作成する。提示文字列作成部１４４の処理フローを図１１に示す。
【００６９】
ステップ５０１）  終了指示が入力された場合には、処理を終了する。
【００７０】
ステップ５０２）  登録要求リスト記憶部１４２の登録要求リストが空であるかを判定し、空である場合には、ステップ５０１に移行し、そうでない場合には、ステップ５０３に移行する。
【００７１】
ステップ５０３）  登録要求リスト記憶部１４２の登録要求リストの先頭の送出装置識別子と文字列データの対を読み出す。読み出した識別子をＩＤ、文字列データをｄとする。読み出した対を登録要求リストから削除する。
【００７２】
ステップ５０４）  カウンタ値記憶部１４３からＩＤのカウンタの値を読み出して１加算し、ｃとする。ｄにｃとＩＤを付与し、カウント済み文字列データとして文字列データ記憶部１４５に出力する。カウンタ値記憶部１４３のＩＤのカウンタをクリアし、ｃをカウンタ値記憶部１４３のＩＤカウンタへ出力する。
【００７３】
ステップ５０５）  ＩＤに対するカウント済み文字列データ群を文字列データ記憶部１４５から読み出し、Ｄとする。
【００７４】
ステップ５０６）  Ｄの各カウント済み文字列データｉに対して以下の処理を行う。
【００７５】
スコア付けされた文字列を記憶する記憶領域をＲとする。
【００７６】
・規定文字列抽出部１４６へカウント済み文字列データを出力し、規定の抽出条件を満たす文字列群を求める。
【００７７】
・求められた文字列に対し、カウント済み文字列データｉに付与されているカウンタの値ｖｉをスコアとして割り付け、Ｒに文字列とそのスコアを格納する。この際、既にＲ中に存在する文字列に対しては、Ｒ中のスコアの値よりｖｉの方が大きい場合は、Ｒ中のスコアの値をｖｉに書き換える。
【００７８】
ステップ５０７）  文字列リスト記憶部１４７にＩＤに対するリストが存在する場合は、文字列リスト記憶部１４７からＩＤに対するリストを削除する。スコアが付与されたＲ中の文字列をスコアの大きい順にソートしたリストを作成し、ＩＤと対にして文字列リスト記憶部１４７に出力し、ステップ５０１に移行する。
【００７９】
上記のステップ５０６において、各文字列のスコアをその文字列が抽出された文字列データのカウンタ値の中で最大の値とすることで、スコア値の大きい順に文字列を提示することにより、より後で登録された文字列データに含まれる文字列ほど優先的に提示できる。そのため、番組の進行に合わせた文字列の提示が可能である。
【００８０】
文字列リスト記憶部１４７は、送出装置の識別子と対となっているスコアが付与された文字列を要素とする文字列リストを記憶する。図１２に文字列リスト記憶部１４７の記憶例を示す。
【００８１】
チャネル情報テーブル作成部１４８は、チャネル情報テーブルを作成する。
【００８２】
図１３は、本発明の第１の実施の形態におけるチャネル情報テーブル作成部の処理のフローチャートである。
【００８３】
チャネル情報テーブル作成部１４８は、文字列リスト記憶部１４７からリスト群を読み出す（ステップ６０２）。文字列リストと送出装置識別子を対応付けたチャネル情報テーブルを作成する。チャネル情報テーブル記憶部１４９をクリアし、作成したチャネル情報テーブルをチャネル情報テーブル記憶部１４９に出力する（ステップ６０３）。
【００８４】
チャネル情報テーブル提示装置１５０は、最新のチャネル情報テーブルをチャネル情報テーブル管理装置１４０から取得して利用者に提示するとともに、利用者に送出装置を選択する手段を提供する。
【００８５】
チャネル情報テーブル提示装置１５０の入出力を図１４に示す。
【００８６】
図１５は、本発明の第１の実施の形態におけるチャネル情報テーブル提示装置の処理のフローチャートである。
【００８７】
ステップ７０１）  終了指示が入力された場合には、処理を終了する。
【００８８】
ステップ７０２）  利用者からの入力の有無を判定し、入力があった場合はステップ７０３に移行し、入力がない場合にはステップ７０６に移行する。
【００８９】
ステップ７０３）  入力されたデータを送出装置識別子に変換する。
【００９０】
ステップ７０４）  変換が成功した場合にはステップ７０５に移行し、失敗した場合はステップ７０１に移行する。
【００９１】
ステップ７０５）  変換結果の識別子を受信装置１２０に出力する。
【００９２】
ステップ７０６）  ステップ７０２において、入力されなかった場合には、チャネル情報テーブル管理装置１４０へテーブル取得要求を出力し、チャネル情報テーブルを取得する。
【００９３】
ステップ７０７）  チャネル情報テーブル管理装置１４０から取得したチャネル情報テーブルを受信装置１２０を介して表示装置４００に出力する。これにより、受信装置１２０は、表示装置４００に当該チャネル情報テーブルの内容を表示する。
【００９４】
受信装置１２０に接続される表示装置４００における、チャネル情報テーブル提示装置１５０により提供されたチャネル情報テーブルの表示例を図１６に示す。同図に示すように、表示装置４００の画面には番組の進行に合わせた内容を推測しやすい比較的短い文字列で表された番組の一覧表が表示される。例えば利用者は画面の放送名が表示されているエリアをマウス等で選択して、受信対象とする送出装置の指定を行う。
【００９５】
チャネル情報テーブル提示装置１５０への入力として座標が与えられたる場合は、例えば各送出装置の表示領域を定める座標を規定するテーブル（図示せず）を予め用意しておき、図１５のステップ７０３では、入力された座標をテーブルを参照することにより送出装置の識別子への変換を行う。
【００９６】
上記のシステム構成において、番組に関連するデータを入力する利用者Ａｉは、受信対象とする送出装置を選択し、送出装置の番組を視聴しながら当該番組に関連する文字列データを情報処理システム２００へ入力する。利用者Ａｉの処理フローを図１７に示す。
【００９７】
利用者Ａｉは、受信する送出装置の識別を入力装置３００から指定し（ステップ８０１）、指定した送出装置の映像・音声を受信装置１２０を介して、ディスプレイやスピーカを用いて視聴する（ステップ８０２）。視聴している映像・音声に関連する文字列データを入力装置３００を用いてチャネル情報入力装置１３０に逐次入力する（ステップ８０３）。入力処理が完了したら（ステップ８０４）、処理を終了し、まだ、処理が完了しておらず、受信する送出装置の切り替えを希望する場合には、ステップ８０１の処理に移行する（ステップ８０５）。
【００９８】
また、複数の同時に進行する番組を俯瞰したい利用者Ｂの処理フローを図１８に示す。
【００９９】
利用者Ｂは、チャネル情報テーブル提示装置１５０で各送出装置２００に対する文字列群を俯瞰し（ステップ９０１）、チャネル情報テーブル提示装置１５０から提示された画面上の各送出装置に対応付けられているエリアを選択することで、気になる送出装置の識別子を指定し、送出装置の映像・音声を受信装置１２０を介してディスプレイやスピーカで視聴する（ステップ９０２）。
【０１００】
以上より、俯瞰を希望する利用者は比較的短い文字列で番組の動きを俯瞰可能となり、番組を各送出装置から送出される映像データから推測したり、映像データに埋め込まれている細かい文字データを読んで推測したり、複数の音声から1つの音声を集中して聞いて推測したりする必要がなくなるので俯瞰に要する時間が短く、利用者の負荷が少ない俯瞰が可能となる。
【０１０１】
また、各送出装置の送信データに対して、登場人物に分担したり、複数の観点で文字列データを附与できるため、各送出装置に複数のチャネル情報入力装置の利用者を割り当てることが好適である。
【０１０２】
送出装置と受信装置間の番組の伝送は、テレビの放送電波に限定されるものではなく、
インターネット等のネットワークやケーブルテレビサービスを利用したものでもよい。
【０１０３】
［第２の実施の形態］
図１９は、本発明の第２の実施の形態におけるシステム構成図である。
【０１０４】
同図に示すシステムは、前述の第１の実施の形態の構成に、チャネル情報閲覧装置１６０、チャネル情報収集装置１７０及びチャネル情報管理装置１８０を組み込んだ構成である。
【０１０５】
また、チャネル情報テーブル提示装置１５０で受信対象とする送出装置の指定を行うようにすることで、前述の第１の実施の形態のチャネル切替装置１１０を不要としている。
【０１０６】
チャネル情報管理装置１８０は、利用者が入力した文字列データ群を記憶し、参照要求に応じて記憶している指定された送出装置の識別子に対応する文字列データ群を要求元へ提供する。チャネル情報管理装置１８０の構成例を図２０に示す。
【０１０７】
チャネル情報管理装置１８０は、登録要求（、送出装置識別子、文字列データ）、取得要求（送出装置識別子）を取得し、登録番号付文字列データ群を返す要求処理部１８１、送出装置識別子、登録番号付文字列データを記憶する文字列データ記憶部１８２、カウンタ値を記憶するカウンタ記憶部１８３から構成される。図２１に、要求処理部１８１の動作のフローチャートを示す。
【０１０８】
ステップ１００１）  要求処理部１８１は、終了指示があった場合には処理を終了する。
【０１０９】
ステップ１００２）  要求が入力されたかを判定し、入力されない場合にはステップ１００１に移行する。
【０１１０】
ステップ１００３）  入力された要求が登録要求であるか判定し、登録要求である場合にはステップ１００６に移行し、そうでない場合にはステップ１００４に移行する。
【０１１１】
ステップ１００４）  入力された要求が取得要求かを判定し、取得要求であればステップ１００５に移行し、そうでなければステップ１００１に移行する。
【０１１２】
ステップ１００５）  入力された送出装置の識別子に対するカウンタ付の文字列データ群を文字列データ記憶部１８２から読み込み、要求元へ出力し、ステップ１００１に移行する。
【０１１３】
ステップ１００６）  ステップ１００３において、登録要求と判定された場合には、カウンタ記憶部１８３からカウンタ値を読み出して１を加算してｖとする。カウンタ記憶部１８３をクリアし、ｖをカウンタ記憶部１８３に書き込む。
【０１１４】
ステップ１００７）  送出装置識別子ｉと文字列データｄを入力から取得し、ｖ，ｉ，ｄを関連付けて文字列データ記憶部１８２に出力し、ステップ１００１に移行する。
【０１１５】
チャネル情報管理装置１８０の文字列データ記憶部１８２に記憶されている文字列データの例を図２２に示す。同図に示すように、文字列データ記憶部１８２には、送出装置識別子、カウンタ値、文字列データが格納される。
【０１１６】
チャネル情報閲覧装置１６０は、利用者に当該利用者および他の利用者が入力した文字列データを閲覧するためのものである。
【０１１７】
図２３は、本発明の第２の実施の形態におけるチャネル情報閲覧装置の構成を示す。
【０１１８】
チャネル情報閲覧装置１６０は、閲覧制御部１６１を有し、表示装置４００に接続される。チャネル情報閲覧装置１６０の処理のフローチャートを図２４に示す。
【０１１９】
チャネル情報閲覧装置１６０は、送出装置識別子が入力されると（ステップ１１０２）、入力された送出装置識別子をチャネル情報管理装置１８０に送信し、登録番号付文字列データ群を取得する（ステップ１１０３）。次に、登録番号付文字列データ群の文字列データを登録番号の小さい順に表示装置４００に表示する（ステップ１１０４）。
【０１２０】
チャネル情報収集装置１７０は、チャネル情報管理装置１８０に記憶されている文字列データをチャネル情報テーブル管理装置1１４０へ入力するためのものである。
【０１２１】
チャネル情報収集装置１７０の構成例を図２５に示し、その処理のフローチャートを図２６に示す。
【０１２２】
チャネル情報収集装置１７０は、収集制御部１７１、送出装置識別子リスト記憶部１７２、履歴記憶部１７３から構成される。
【０１２３】
ステップ１２０１）  チャネル情報収集装置１７０の収集制御部１７１は、送出装置識別子リスト記憶部１７２から送出装置識別子群を読み込む。
【０１２４】
ステップ１２０２）  終了指示があった場合には処理を終了する。
【０１２５】
ステップ１２０３）  ｉ＝１，ｎ＝Ｌの要素数とする。
【０１２６】
ステップ１２０４）  ｉ≦ｎであればステップ１２０５に移行し、そうでなければステップ１２０２に移行する。
【０１２７】
ステップ１２０５）  チャネル情報管理装置１８０へ送出装置識別子ｌｉ∈Ｌを出力し、登録番号付文字列データ群Ｇを取得する。
【０１２８】
ステップ１２０６）  データ群Ｇ中の文字列データに付与されている最大の登録番号をＣｍａｘとする。
【０１２９】
ステップ１２０７）  履歴記憶部１７３よりｌｉの登録番号を読み込み、ｃとする。
【０１３０】
ステップ１２０８）  Ｃｍａｘ＞ｃであるかを判定し、そうであればステップ１２０９に移行し、そうでなければステップ１２１１に移行する。
【０１３１】
ステップ１２０９）  登録番号がｃ＋１からＣｍａｘまでのＧ中の文字列データを登録番号が小さい順に１つずつチャネルテーブル情報テーブル管理装置１４０に出力する。
【０１３２】
ステップ１２１０）  履歴記憶部１７３のｌｉの登録番号Ｃｍａｘを書き込む。
【０１３３】
ステップ１２１１）  ｉ＝ｉ＋１として、ステップ１２０４に移行する。
【０１３４】
チャネル情報テーブル管理装置１４０は、文字列データの登録要求をチャネル情報収集装置１７０から入力されること以外は、前述の第１の実施の形態と同等のものである。
【０１３５】
上記のチャネル情報閲覧装置１６０、チャネル情報管理装置１８０、チャネル情報収集装置１７０を設けることにより、他の利用者が入力した文字列データを参照しながらの視聴や文字列データの入力ができるようになる。例えばチャネル情報管理装置として掲示板システムを利用した場合、視聴しながら視聴者間でテキストベースの会話が可能となり、番組の進行にあわせた感想の交換等、より楽しい視聴が可能となる。
また、登録された文字列データの参照が可能となり、番組を分析するのに好適である。
【０１３６】
チャネル情報入力装置１３０は、データの出力先がチャネル情報管理装置１８０であること、入力がチャネル切替装置１１０ではなく、チャネル情報テーブル提示装置１５０からであること以外は、第１の実施の形態のチャネル情報入力装置１３０と同等のものである。チャネル情報入力装置１３０の処理フローを図２７に示す。
【０１３７】
ステップ１３０１）  終了指示が入力された場合には処理を終了する。
【０１３８】
ステップ１３０２）  チャネル情報入力装置１３０は、一定時間チャネルテーブル提示装置１５０からの入力を待機する。
【０１３９】
ステップ１３０３)チャネルテーブル提示装置１５０からの入力があった場合にはステップ１３０４に移行し、ない場合には、ステップ１３０６に移行する。
【０１４０】
ステップ１３０４）  チャネルテーブル提示装置１５０からの入力データを送出装置識別子に変換する。
【０１４１】
ステップ１３０５）  指定識別子記憶部１３３をクリアし、送出装置識別子を指定識別子記憶部１３３に書き込む。
【０１４２】
ステップ１３０６）  ステップ１３０３において、チャネルテーブル提示装置からの入力がない場合には、一定時間入力装置３００からの入力を待機する。
【０１４３】
ステップ１３０７）  入力装置３００から入力があった場合にはステップ１３０８に移行し、ない場合にはステップ１３０１に移行する。
【０１４４】
ステップ１３０８）  入力装置３００からのデータを１文字読み込む。
【０１４５】
ステップ１３０９）  読み込んだ文字は、入力解釈指示記号かを判定し、そうであれば、ステップ１３１０に移行し、そうでなければステップ１３１２に移行する。
【０１４６】
ステップ１３１０）  指定識別子記憶部１３３から識別子を読み込み、入力文字記憶部１３２中の文字列と対にしてチャネル情報テーブル管理装置１４０に出力する。
【０１４７】
ステップ１３１１）  入力文字記憶部１３２をクリアし、ステップ１３０１に移行する。
【０１４８】
ステップ１３１２）  ステップ１３０９において、入力解釈指示記号でない場合には、入力文字を表示装置４００に出力する。
【０１４９】
ステップ１３１３）  読み込み文字を入力文字記憶部１３２中の文字列終端にアペンドし、ステップ１３０１に移行する。
【０１５０】
チャネル情報テーブル提示装置１５０は、受信装置１２０に加え、チャネル情報閲覧装置１６０、チャネル情報入力装置１３０への送出装置識別子の出力を可能とすること以外は、前述の第１の実施の形態と同様である。チャネル情報テーブル提示装置１５０の入出力を図２８に、処理フロー例を図２９に示す。
【０１５１】
ステップ１４０１）  チャネル情報テーブル提示装置１５０は、終了指示が入力された場合には処理を終了する。
【０１５２】
ステップ１４０２）  入力があった場合には、ステップ１４０３に移行し、ない場合には、ステップ１４０６に移行する。
【０１５３】
ステップ１４０３）  入力データを送出装置識別子に変換する。
【０１５４】
ステップ１４０４）  変換が成功した場合にはステップ１４０５に移行し、失敗した場合にはステップ１４０１に移行する。
【０１５５】
ステップ１４０５）  入力された送出装置識別子を受信装置１２０、チャネル情報閲覧装置１６０、チャネル情報入力装置１３０へ出力する。
【０１５６】
ステップ１４０６）  ステップ１４０２において入力がない場合には、チャネル情報テーブル管理装置１４０にテーブル取得要求を送信し、チャネル情報テーブルを取得する。
【０１５７】
ステップ１４０７）  受信装置１２０は、チャネル情報テーブルを表示装置４００に提示する。
【０１５８】
利用者がチャネル情報テーブル提示装置１５０から取得し、表示装置４００に表示された表示画面の一部を入力装置３００を用いて指定することで受信対象とする送出装置を指定し、チャネル情報テーブル提示装置１５０が受信装置１２０とチャネル情報閲覧装置１６０とチャネル情報入力装置１３０へ指定識別子を出力することで、第１の実施の形態より多くの複数装置への受信対象とする送出装置の指定を簡易に行うことが可能となる。
【０１５９】
なお、チャネル情報テーブル提示装置１５０とチャネル情報閲覧装置１６０とチャネル情報入力装置１３０は、キーボードやマウスなどの入力装置、ディスプレイなどの表示装置を有するネットワークに接続された市販の１台のパーソナルコンピュータ上で実現可能である。
【０１６０】
［第３の実施の形態］
図３０は、本発明の第３の実施の形態におけるシステム構成図（その１）を示す。同図の構成は、本発明の請求項３に対応する。図３１は、本発明の第３の実施の形態におけるシステム構成図（その２）を示す。同図の構成は本発明の請求項４に対応する。これら図３０、図３１において、図２、図１９と同一構成部分には同一符号を付し、その説明を省略する。
【０１６１】
請求項３及び請求項４は、それぞれ請求項１および請求項２におけるチャネル情報テーブル管理装置１４０を、特開２００４−３４８４１５「話題抽出装置」に開示された技術により実現するものである。図３２に特開２００４−３４８４１５に開示された技術により実現されるチャネル情報テーブル管理装置１４０の実施形態例を示す。
【０１６２】
形態素解析装置２４１は入力された文字列に対し、その文字列を単語分割し、それら単語とその品詞情報を出力する。
本装置は一般的に利用される装置であり、例えば、奈良先端科学技術大学院大学が提供する「茶筌システム」を本装置として利用可能である。
【０１６３】
パタン記憶部２４３は、文字列データから抽出する文字列のパタンの定義を記憶する。例えば品詞を用いた正規表現（名詞）（の)?（名詞）+等を記憶する。当該パタンは名詞の連続または名詞間が「の」で繋がる文字列を表す。
【０１６４】
出現文字列データ数記憶部２４４は、送出装置の識別子毎に入力された文字列データ郡においてそれら文字列郡中の各語に対して当該語の出現する文字列データ数を記憶する。図３３に記憶される文字列データ数の例を示す。
【０１６５】
解析済文字列データ記憶部２４２は、チャネル情報テーブル管理装置１４０へ入力された文字列に対し、パタン記憶部２４３に記憶されているパタンにマッチする当該文字列データ中の部分文字列群、及び、当該文字列群の各文字列に対して当該文字列を構成する語、および当該文字列データを構成する語の情報を当該文字列データの登録要求時に付与されていた送出装置識別子と当該文字列データに対して付与されたカウンタ番号を関連づけて記憶する。図３４に記憶されるデータの例を示す。
【０１６６】
提示文字列作成部１４４は、登録要求リスト記憶部１４２から読み込んだ識別子と文字列データに対し、当該文字列データおよびそれまでに当該識別子に対して入力された文字列データの中から予め定義された品詞パタンにマッチする文字列群を求め、当該各文字列データの各文字列に対して抽出された文字列が出現した文字列データに後続する文字列データにおいて、当該文字列を構成する語が出現した文字列データの数を支持数として求め、支持数を当該識別子に対して入力された文字列データの中で当該語が出現した文字列データの数を分母とする式により重み付けした値を分子の構成要素に持ち、後続する文字列データの数を分母の構成要素に持つ式によりスコア値を算出し、当該文字列とスコアと当該識別子と関係付けて文字列リスト記憶部１４７に出力する。
【０１６７】
図３５は、本発明の第３の実施の形態におけるチャネル情報テーブル管理装置の処理のフローチャートである。
【０１６８】
ステップ２００１）  終了指示が入力された場合には処理を終了する。
【０１６９】
ステップ２００２）  登録要求リスト記憶部１４２が空であれば、ステップ２００１に移行し、そうでなければステップ２００３に移行する。
【０１７０】
ステップ２００３）  登録要求リスト記憶部１４２の登録要求リストの先頭の送出装置識別子と文字列データの対を読み出す。読み出した送出装置識別子をＩＤ，文字列データをｄとする。読み出した対を登録要求リストから削除する。
【０１７１】
ステップ２００４）  カウンタ値記憶部１４３からＩＤのカウンタの値を読み出して１加算し、ｃとする。カウンタ値記憶部１４３のＩＤのカウンタをクリアし、ｃをカウンタ値記憶部１４３のＩＤのカウンタへ出力する。
【０１７２】
ステップ２００５）  ｄを形態素解析装置２４１へ出力し、語Ｓｉと品詞Ｔｉの対（Ｓｉ，Ｔｉ）を要素とするリストＬ＝［（Ｓ１，Ｔ１），（Ｓ２，Ｔ２）…］を取得する。ｄの先頭の語から順にＳ１，Ｓ２，…とする。
【０１７３】
ステップ２００６）  パタン記憶部２４３からパタンを読み出し、当該パタンをＰとする。
【０１７４】
ステップ２００７）  文字列データ内の文字列とその文字列を構成する語の対を記憶するリストＲ、各文字列を構成する語を記憶するリストＵ、提示文字列候補を記憶するＳ，品詞文字列を記憶するＴ、文字列内の語を記憶するリストＷを用意し、
Ｒ［］，Ｕ＝［］，Ｓ””，Ｔ＝””，Ｗ＝［］とする。
【０１７５】
ステップ２００８）  ｉ＝１とする。
【０１７６】
ステップ２００９）  ｉ≦Ｌの要素数であるかを判定し、そうであればステップ２０１０に移行し、そうでなければステップ２０２０に移行する。
【０１７７】
ステップ２０１０）  Ｔ＝Ｔ＋Ｔｉとする。
【０１７８】
ステップ２０１１）  ＴはＰにマッチするかを判定し、マッチする場合には、ステップ２０１５に移行し、マッチしない場合には、ステップ２０１２に移行する。
【０１７９】
ステップ２０１２）  Ｓ＝””かを判定し、そうであれば、ステップ２０１３に移行し、そうでなければステップ２０１４に移行する。
【０１８０】
ステップ２０１３）  Ｔ＝””とし、ステップ２０１６に移行する。
【０１８１】
ステップ２０１４）  Ｒ＝［Ｓ，Ｕ］＋Ｒ、Ｓ＝””、Ｔ＝””、Ｕ＝［］とし、ステップ２０１６に移行する。
【０１８２】
ステップ２０１５）  Ｓ＝Ｓ＋Ｓｉ，Ｕ＝Ｕ＋Ｓｉ，Ｔ＝Ｔ＋Ｔｉとし、ステップ２０１６に移行する。
【０１８３】
ステップ２０１６）  Ｓｉ∈Ｗであるかを判定し、そうである場合はステップ２０１９に移行し、そうでない場合はステップ２０１７に移行する。
【０１８４】
ステップ２０１７）  出現文字列データ数記憶部２４４より、ＩＤのＳｉの値を読み出し、その値に１加算した値を出現文字列データ数記憶部２４４のＩＤのＳｉの値として出力する。
【０１８５】
ステップ２０１８）  Ｗ＝Ｗ＋Ｓｉとする。
【０１８６】
ステップ２０１９）  ｉ＝ｉ＋１とし、ステップ２００９に移行する。
【０１８７】
ステップ２０２０）  Ｒ，ＩＤ，ｃ，Ｗを要素とするリストを作成し、解析済み文字列データとして解析済み文字列データ記憶部２４２に出力する。
【０１８８】
ステップ２０２１）  ＩＤを要素に含む解析済み文字列データ群Ｇを、解析文字列データ記憶部２４２より、ＩＤに関係付けられている各語の出現文字列データ数を出現文字列データ数記憶部２４２より読み込む。
【０１８９】
ステップ２０２２）  文字列とそのスコアを記憶するためのリストＭ＝［］を用意する。
【０１９０】
ステップ２０２３）  各解析済み文字列データｉ中の各文字列ｉｊに対し、当該文字列ｉｊを構成する各語ｋの指示数support(Ｇ内の文字列データ群の中で当該文字列データよりカウンタ値が大きい当該語ｋを有する文字列データの数)と、当該文字列よりカウンタ値が大きいＧ内の文字列データの数restを求め、文字列ｉｊを構成する語の数をｎとし、
【０１９１】
【数１】
2006237883.tif 000003
をスコアとして算出する。
【０１９２】
ステップ２０２４）  各文字列ｉｊをスコアｉｊと対にしてＭの要素として追加する。この際、既に当該文字列ｉｊと同じ文字列を要素に持つ対がＭ中に存在する場合は、Ｍ中の当該文字列のスコアｖの方がスコアｉｊより小さい場合に限り、Ｍ中の文字列ｉｊを持つ対を削除し、文字列ｉｊとスコアｉｊを対にし、Ｍに追加する。
【０１９３】
ステップ２０２５）  文字列リスト記憶部１４７にＩＤに対するリストが存在する場合は、文字列リスト記憶部１４７からＩＤに対するリストを削除する。スコアの値が大きい順にＭの対をソートし、ソート結果のリストとＩＤを対にして文字列リスト記憶部１４７に出力し、ステップ２００１に移行する。
【０１９４】
特開２００４−３４８４１５に開示された技術では、各文字列のスコアをその文字列を構成する語がその文字列が抽出された文字列データより後に入力された文字列データにも出現し、最新登録文字列データの付近で発生頻度が高く、珍しい文字列ほど高いスコアを与えるため、番組の進行に合わせて盛り上がっている内容に関係する文字列を表示でき、かつ、一度しか関連する文字列データが入力されないような一瞬しか盛り上がらなかった内容に関係する文字列の表示を排除できる。
【０１９５】
更に、特開２００４−３４８４１５では文字列の部分マッチによるスコア付が可能であるため、先に入力した文字列と同じ文字列を入力する場合、その文字列の部分文字列を入力することにより先に入力した文字列のスコアを高くできるので、入力の負担が少なくてすむ。
【０１９６】
例えば、番組で山田太郎の婚約発表に関する話題が流れており、その後、佐藤花子の新曲発表の話題に変わり、再度山田太郎の婚約発表に話題が戻った場合、山田太郎の婚約発表について最初に番組で流れた時に「山田太郎の婚約発表」文字列データを入力し、番組の内容に合わせて関連する文字列データを入力し、山田太郎の婚約発表の話題が再度でてきた際は、「婚約」という文字列を入力すればよく、長い文字列を入力する必要がない。
【０１９７】
受信装置１２０、チャネル情報入力装置１３０、チャネル情報閲覧装置１６０、チャネル情報テーブル管理装置１４０を利用することで、利用者は同時に進行する複数の番組の中から気になる番組を容易に見付けることができ、また、他の利用者の登録した文字列データ、例えば番組への感想などを参照しながら、番組を視聴したり、また、他の利用者の登録した文字列データに関する文字列データ(「共感」を表す文字列等)の登録もできるため、例えば、４つの装置を利用する複数の利用者間で、テキストベースの会話をしながら、番組を視聴することができ、より楽しい番組視聴が可能となる。
【０１９８】
なお、上記の実施の形態における装置間の入出力は、ネットワークを介したものであってもよい。
【０１９９】
上記の第１〜第４の実施の形態における各装置の動作をプログラムとして構築し、情報処理システムのコンピュータにインストールして実行させる、または、ネットワークを介して流通させることも可能である。
【０２００】
なお、本発明は、上記の実施の形態及び実施例に限定されることなく、特許請求の範囲内において種々変更・応用が可能である。
【産業上の利用可能性】
【０２０１】
テレビチャネルや掲示板等の情報伝達媒体の番組を切り替えるための技術に適用可能である。
【図面の簡単な説明】
【０２０２】
【図１】本発明の原理構成図である。
【図２】本発明の第１の実施の形態におけるシステム構成図である。
【図３】本発明の第１の実施の形態におけるチャネル切替装置の処理のフローチャートである。
【図４】本発明の第１の実施の形態における受信装置の構成図である。
【図５】本発明の第１の実施の形態における受信装置の処理のフローチャートである。
【図６】本発明の第１の実施の形態におけるチャネル情報入力装置の構成図である。
【図７】本発明の第１の実施の形態におけるチャネル情報入力装置の処理のフローチャートである。
【図８】本発明の第１の実施の形態におけるチャネル情報テーブル管理装置の構成図である。
【図９】本発明の第１の実施の形態におけるチャネル情報管理装置の要求処理部の処理のフローチャートである。
【図１０】本発明の第１の実施の形態におけるチャネル情報テーブル記憶部の例である。
【図１１】本発明の第１の実施の形態におけるチャネル管理装置の提示文字列作成部の動作のフローチャートである。
【図１２】本発明の第１の実施の形態における文字列リスト記憶部の例である。
【図１３】本発明の第１の実施の形態におけるチャネル情報テーブル作成部の処理のフローチャートである。
【図１４】本発明の第１の実施の形態におけるチャネル情報テーブル提示装置の入出力を示す図である。
【図１５】本発明の第１の実施の形態におけるチャネル情報テーブル提示装置の処理のフローチャートである。
【図１６】本発明の第１の実施の形態におけるチャネル情報テーブルの表示例である。
【図１７】本発明の第１の実施の形態における利用者Ａｉの処理のフローチャートである。
【図１８】本発明の第１の実施の形態における利用者Ｂの処理のフローチャートである。
【図１９】本発明の第２の実施の形態におけるシステム構成図である。
【図２０】本発明の第２の実施の形態におけるチャネル情報管理装置の構成図である。
【図２１】本発明の第２の実施の形態におけるチャネル情報管理装置の処理のフローチャートである。
【図２２】本発明の第２の実施の形態におけるチャネル情報管理装置の文字列記憶部のデータ例である。
【図２３】本発明の第２の実施の形態におけるチャネル情報閲覧装置の構成図である。
【図２４】本発明の第２の実施の形態におけるチャネル情報閲覧装置の処理のフローチャートである。
【図２５】本発明の第２の実施の形態におけるチャネル情報収集装置の構成図である。
【図２６】本発明の第２の実施の形態におけるチャネル情報収集装置の処理のフローチャートである。
【図２７】本発明の第２の実施の形態におけるチャネル情報入力装置の処理のフローチャートである。
【図２８】本発明の第２の実施の形態におけるチャネル情報テーブル提示装置の入出力を示す図である。
【図２９】本発明の第２の実施の形態におけるチャネル情報テーブル提示装置の動作のフローチャートである。
【図３０】本発明の第３の実施の形態におけるシステム構成図（その１）である。
【図３１】本発明の第３の実施の形態におけるシステム構成図（その２）である。
【図３２】本発明の第３の実施の形態におけるチャネル情報テーブル管理装置の構成図である。
【図３３】本発明の第３の実施の形態における出現文字列データ数記憶部の例である。
【図３４】本発明の第３の実施の形態における解析済文字列データ記憶部のデータ例である。
【図３５】本発明の第３の実施の形態におけるチャネル情報テーブル管理装置の処理のフローチャートである。
【符号の説明】
【０２０３】
１００  情報処理システム
１１０  チャネル切替装置
１２０  受信装置
１２１  受信部
１２２  音声処理部
１２３  映像処理部
１２４  アンテナ
１２５  スピーカ
１３０  チャネル情報入力装置
１３１  登録処理部
１３２  入力文字記憶部
１３３  指定識別子記憶部
１４０  チャネル情報テーブル管理装置
１４１  要求処理部
１４２  登録要求リスト記憶部
１４３  カウンタ値記憶部
１４４  提示文字列作成部
１４５  文字列データ記憶部
１４６  規定文字列抽出部
１４７  文字列リスト記憶部
１４８  チャネル情報テーブル作成部
１４９  チャネル情報テーブル記憶部
１５０  チャネル情報テーブル提示装置
１６０  チャネル情報閲覧装置
１６１  閲覧制御部
１７０  チャネル情報収集装置
１７１  収集制御部
１７２  送出装置識別子リスト記憶部
１７３  履歴記憶部
１８０  チャネル情報管理装置
１８１  要求処理部
１８２  文字列データ記憶部
１８３  カウンタ記憶部
２００  送出装置
２４１  形態素解析装置
２４２  解析済み文字列データ記憶部
２４３  パタン記憶部
２４４  出現文字列データ数記憶部
３００  入力装置
４００  出力装置、表示装置
【図１】
2006237883.tif 000004
【図２】
2006237883.tif 000005
【図３】
2006237883.tif 000006
【図４】
2006237883.tif 000007
【図５】
2006237883.tif 000008
【図６】
2006237883.tif 000009
【図７】
2006237883.tif 000010
【図８】
2006237883.tif 000011
【図９】
2006237883.tif 000012
【図１０】
2006237883.tif 000013
【図１１】
2006237883.tif 000014
【図１２】
2006237883.tif 000015
【図１３】
2006237883.tif 000016
【図１４】
2006237883.tif 000017
【図１５】
2006237883.tif 000018
【図１６】
2006237883.tif 000019
【図１７】
2006237883.tif 000020
【図１８】
2006237883.tif 000021
【図１９】
2006237883.tif 000022
【図２０】
2006237883.tif 000023
【図２１】
2006237883.tif 000024
【図２２】
2006237883.tif 000025
【図２３】
2006237883.tif 000026
【図２４】
2006237883.tif 000027
【図２５】
2006237883.tif 000028
【図２６】
2006237883.tif 000029
【図２７】
2006237883.tif 000030
【図２８】
2006237883.tif 000031
【図２９】
2006237883.tif 000032
【図３０】
2006237883.tif 000033
【図３１】
2006237883.tif 000034
【図３２】
2006237883.tif 000035
【図３３】
2006237883.tif 000036
【図３４】
2006237883.tif 000037
【図３５】
2006237883.tif 000038